(57)【特許請求の範囲】
【請求項１】
一次媒体のための第１のプレート間隔（１）と、
第１の二次媒体のための第２のプレート間隔（２）と、
第２の二次媒体のための第３のプレート間隔（３）と
を形成するために互いに積み重ねられる熱交換器プレートのプレートパッケージを備えるプレート熱交換器であって、
前記熱交換器プレート（Ａ、Ａ’、Ａ”、Ｂ、Ｂ’、Ｂ”）の各々が、延在平面（ｐ）と平行に延在するとともに、互いに対して、および、前記延在平面（ｐ）に対して平行である上平面（６）と下平面（７）との間で延在する波形（５）を伴う熱交換器領域（４）を有し、
前記プレートパッケージは６つのポート（１１、１２、２１、２２、３１、３２）を備え、前記６つのポート（１１、１２、２１、２２、３１、３２）は、前記熱交換器プレート（Ａ、Ａ’、Ａ”、Ｂ、Ｂ’、Ｂ”）を貫いて延在し、
前記第１のプレート間隔（１）に往来する前記一次媒体の供給および排出のための第１の入口ポート（１１）および第１の出口ポート（１２）と、
前記第２のプレート間隔（２）に往来する前記第１の二次媒体の供給および排出のための第２の入口ポート（２１）および第２の出口ポート（２２）と、
前記第３のプレート間隔（３）に往来する前記第２の二次媒体の供給および排出のための第３の入口ポート（３１）および第３の出口ポート（３２）と、
を備え、
前記６つのポート（１１、１２、２１、２２、３１、３２）の各々は、前記熱交換器プレート（Ａ、Ａ’、Ａ”、Ｂ、Ｂ’、Ｂ”）の各々を貫くポート孔（１４）によって形成され、
各々のポート孔（１４）は、ポート孔縁（１６）を形成する外側平坦領域（１５）によって取り囲まれ、
前記第２の入口ポート（２１）、前記第２の出口ポート（２２）、前記第３の入口ポート（３１）、および前記第３の出口ポート（３２）の前記外側平坦領域（１５）は内側平坦領域（１７）によって包囲され、
前記熱交換器プレート（Ａ、Ａ’、Ａ”、Ｂ、Ｂ’、Ｂ”）のポート（１１、１２、２１、２２、３１、３２）の前記ポート孔（１４）の前記外側平坦領域（１５）は、前記上平面（６）および前記下平面（７）の一方に位置付けられる、プレート熱交換器において、
前記第２のプレート間隔（２）を包囲する、前記熱交換器プレート（Ｂ、Ａ）の前記第２の入口ポート（２１）および前記第２の出口ポート（２２）の前記ポート孔（１４）の前記内側平坦領域（１７）は、互いから、ならびに、前記上平面（６）および前記下平面（７）からある距離に位置付けられることと、前記第３のプレート間隔（３）を包囲する、前記熱交換器プレート（Ｂ’、Ａ’）の前記第２の入口ポート（２１）および前記第２の出口ポート（２２）の前記ポート孔（１４）の前記内側平坦領域（１７）は、互いに隣接し、前記上平面（６）および前記下平面（７）の一方に位置付けられており、
すべての熱交換器プレートの外側平坦領域は、前記プレートパッケージにおいて隣接する熱交換器プレートの別の外側平坦領域に隣接していることを特徴とする、プレート熱交換器。
【請求項２】
前記第３のプレート間隔（３）を包囲する、前記熱交換器プレート（Ｂ’、Ａ’）の前記第３の入口ポート（３１）および前記第３の出口ポート（３２）の前記ポート孔（１４）の前記内側平坦領域（１７）は、互いから、ならびに、前記上平面（６）および前記下平面（７）からある距離に位置付けられ、前記第２のプレート間隔（２）を包囲する、前記熱交換器プレート（Ｂ、Ａ）の前記第３の入口ポート（３１）および前記第３の出口ポート（３２）の前記ポート孔（１４）の前記内側平坦領域（１７）は、互いに隣接し、前記上平面（６）および前記下平面（７）の一方に位置付けられる、請求項１に記載のプレート熱交換器。
【請求項３】
前記熱交換器プレート（Ａ、Ａ’、Ａ”、Ｂ、Ｂ’、Ｂ”）の前記第１の入口ポート（１１）および前記第１の出口ポート（１２）の前記ポート孔（１４）の前記外側平坦領域（１５）は、前記熱交換器領域（４）の前記波形（５）に隣接する、請求項１または２に記載のプレート熱交換器。
【請求項４】
前記第２の入口ポート（２１）の前記ポート孔（１４）の各々は、前記プレートパッケージのすべての熱交換器プレート（Ａ、Ａ’、Ａ”、Ｂ、Ｂ’、Ｂ”）について等しい直径（ｄ）を有する、請求項１から３のいずれか一項に記載のプレート熱交換器。
【請求項５】
前記第２の出口ポート（２２）の前記ポート孔（１４）の各々は、前記プレートパッケージのすべての熱交換器プレート（Ａ、Ａ’、Ａ”、Ｂ、Ｂ’、Ｂ”）について等しい直径（ｄ）を有する、請求項１から４のいずれか一項に記載のプレート熱交換器。
【請求項６】
前記第３の入口ポート（３１）の前記ポート孔（１４）の各々は、前記プレートパッケージのすべての熱交換器プレート（Ａ、Ａ’、Ａ”、Ｂ、Ｂ’、Ｂ”）について等しい直径（ｄ）を有する、請求項１から５のいずれか一項に記載のプレート熱交換器。
【請求項７】
前記第３の出口ポート（３２）の前記ポート孔（１４）の各々は、前記プレートパッケージのすべての熱交換器プレート（Ａ、Ａ’、Ａ”、Ｂ、Ｂ’、Ｂ”）について等しい直径（ｄ）を有する、請求項１から６のいずれか一項に記載のプレート熱交換器。
【請求項８】
前記熱交換器プレート（Ａ、Ａ’、Ａ”、Ｂ、Ｂ’、Ｂ”）は、前記プレートパッケージにおいて交互の順番で設けられる第１の熱交換器プレート（Ａ、Ａ’、Ａ”）および第２の熱交換器プレート（Ｂ、Ｂ’、Ｂ”）を備える、請求項１から７のいずれか一項に記載のプレート熱交換器。
【請求項９】
前記第２のプレート間隔（２）の各々は、前記第２の熱交換器プレート（Ｂ）のうちの１つと前記第１の熱交換器プレート（Ａ）のうちの１つとの間に設けられ、前記第３のプレート間隔（３）の各々は、前記第２の熱交換器プレート（Ｂ’）のうちの１つと前記第１の熱交換器プレート（Ａ’）のうちの１つとの間に設けられる、請求項８に記載のプレート熱交換器。
【請求項１０】
前記第３のプレート間隔（３）に隣接する、前記第１の熱交換器プレート（Ａ’）の前記第２の入口ポート（２１）および前記第２の出口ポート（２２）の前記ポート孔（１４）の前記内側平坦領域（１７）は、前記上平面（６）に位置付けられる、請求項８または９に記載のプレート熱交換器。
【請求項１１】
前記第３のプレート間隔（３）に隣接する、前記第２の熱交換器プレート（Ｂ’）の前記第２の入口ポート（２１）および前記第２の出口ポート（２２）の前記ポート孔（１４）の前記内側平坦領域（１７）は、前記下平面（７）に位置付けられる、請求項８から１０のいずれか一項に記載のプレート熱交換器。
【請求項１２】
前記第２のプレート間隔（２）に隣接する、前記第１の熱交換器プレート（Ａ）の前記第３の入口ポート（３１）および前記第３の出口ポート（３２）の前記ポート孔（１４）の前記内側平坦領域（１７）は、前記上平面（６）に位置付けられる、請求項８から１１のいずれか一項に記載のプレート熱交換器。
【請求項１３】
前記第２のプレート間隔（２）に隣接する、前記第２の熱交換器プレート（Ｂ）の前記第３の入口ポート（３１）および前記第３の出口ポート（３２）の前記ポート孔（１４）
の前記内側平坦領域（１７）は、前記下平面（７）に位置付けられる、請求項８から１２のいずれか一項に記載のプレート熱交換器。
【請求項１４】
前記第１のプレート間隔（１）の各々は、前記第１の熱交換器プレート（Ａ、Ａ’、Ａ”）のうちの１つと前記第２の熱交換器プレート（Ｂ、Ｂ’、Ｂ”）のうちの１つとの間に設けられる、請求項８から１３のいずれか一項に記載のプレート熱交換器。
【請求項１５】
前記第１の熱交換器プレート（Ａ、Ａ’、Ａ”）は、前記第１のプレート間隔（１）のうちの最も外側のものに隣接する第１のエンドプレート（Ａ”）を備え、前記第２の熱交換器プレート（Ｂ、Ｂ’、Ｂ”）は、前記第１のプレート間隔（１）のうちの別の最も外側のものに隣接する第２のエンドプレート（Ｂ”）を備える、請求項８から１４のいずれか一項に記載のプレート熱交換器。
【発明の詳細な説明】
【技術分野】
【０００１】
本発明は、請求項１の前提部に記載のプレート熱変換器に関する。このような熱交換器は、米国特許第６，１６４，３７１号に開示されている。
【背景技術】
【０００２】
３つの媒体のためのこのような先行技術のプレート熱変換器は６つのポートを有する可能性があり、それらポートのうちの４つは、１つのプレート間隔に対して開いており、続く２つのプレート間隔に対して閉じており、続く１つのプレート間隔に対して開いており、続く２つのプレート間隔に対して閉じているといったように続く。米国特許第６，１６４，３７１号に開示されている熱交換器は、これらの４つのポートの周りでの弱さのため不利であり、そのため破壊を受けやすい。３つごとのプレート間隔は、隣接するポート孔より小さい直径を伴うポート孔を用いて、これらの４つのポートにおいて閉じられている。小さい直径を伴うポート孔の外側の平坦領域は、ポートへとより長い距離で延びている。ポートの自由流れ領域を減らすことに加えて、これらの解決策は、これらの４つのポート孔の領域において熱交換器プレートを弱くさせる。
【先行技術文献】
【特許文献】
【０００３】
【特許文献１】米国特許第６，１６４，３７１号
【発明の概要】
【発明が解決しようとする課題】
【０００４】
本発明の目的は、先に詳述した問題を克服することであり、３つの異なる媒体のためのプレート間隔を有する改善されたプレート熱変換器を提供することである。
【課題を解決するための手段】
【０００５】
この目的は、第２のプレート間隔を包囲する、熱交換器プレートの第２の入口ポートおよび第２の出口ポートのポート孔の内側平坦領域は、互いからある距離に位置付けられることと、第３のプレート間隔を包囲する、熱交換器プレートの第２の入口ポートおよび第２の出口ポートのポート孔の内側平坦領域は、互いに隣接し、上平面および下平面の一方に位置付けられることとを特徴とする、最初に定めたプレート熱交換器によって提供される。
【０００６】
すべての熱交換器プレートのすべてのポートのポート孔の外側平坦領域が上平面および下平面の一方に位置付けられるという特徴のおかげで、すべての熱交換器プレートの外側平坦領域は、プレートパッケージにおいて隣接する熱交換器プレートの別の外側平坦領域に隣接することになる。この構造は、プレート熱変換器のポートにおいて大きな強度を確保する。
【０００７】
第２のプレート間隔を包囲する、熱交換器プレートの第２の入口ポートおよび第２の出口ポートのポート孔の内側平坦領域が、互いから、ならびに、例えば下平面と上平面との間といった、上平面および下平面（６，７）からある距離に位置付けられるという特徴のおかげで、第２の入口ポートおよび第２の出口ポートは第２のプレート間隔と連通できる。
【０００８】
第３のプレート間隔を包囲する、熱交換器プレートの第２の入口ポートおよび第２の出口ポートのポート孔の内側平坦領域が、互いと隣接し、上平面と下平面との一報に位置付けられるという特徴のおかげで、第３のプレート間隔を包囲する熱交換器プレートの第２の入口ポートおよび第２の出口ポートのポート孔の内側平坦領域は、第３のプレート間隔を包囲するすべての熱交換器プレートについて互いと隣接することになる。
【０００９】
本発明の実施形態によれば、第３のプレート間隔を包囲する、熱交換器プレートの第３の入口ポートおよび第３の出口ポートのポート孔の内側平坦領域は、互いから、ならびに、例えば下平面と上平面との間といった、上平面および下平面（６，７）からある距離に位置付けられ、第２のプレート間隔を包囲する、熱交換器プレートの第３の入口ポートおよび第３の出口ポートのポート孔の内側平坦領域は、互いに隣接し、上平面および下平面の一方に位置付けられる。結果として、第３のプレート間隔を包囲するプレートの第３の入口ポートおよび第３の出口ポートは、第３のプレート間隔を包囲する、熱交換器プレートの第２の入口部分および第２の出口部分と同じ方法で構成され得る。
【００１０】
本発明のさらなる実施形態によれば、熱交換器プレートの第１の入口ポートおよび第１の出口ポートのポート孔の外側平坦領域は、熱交換器領域の波形に隣接する。したがって、第１の入口ポートおよび第１の出口ポートのポート孔の外側平坦領域を取り囲む内側平坦領域はない。
【００１１】
本発明のさらなる実施形態によれば、第２の入口ポートのポート孔の各々は、プレートパッケージのすべての熱交換器プレートについて等しい直径を有する。
【００１２】
本発明のさらなる実施形態によれば、第２の出口ポートのポート孔の各々は、プレートパッケージのすべての熱交換器プレートについて等しい直径を有する。
【００１３】
本発明のさらなる実施形態によれば、第３の入口ポートのポート孔の各々は、プレートパッケージのすべての熱交換器プレートについて等しい直径を有する。
【００１４】
本発明のさらなる実施形態によれば、第３の出口ポートのポート孔の各々は、プレートパッケージのすべての熱交換器プレートについて等しい直径を有する。
【００１５】
本発明のさらなる実施形態によれば、第２の入口ポートのポート孔の直径は、第３の入口ポートのポート孔の直径と等しい。
【００１６】
本発明のさらなる実施形態によれば、第２の出口ポートのポート孔の直径は、第３の出口ポートのポート孔の直径と等しい。
【００１７】
本発明のさらなる実施形態によれば、熱交換器プレートは、プレートパッケージにおいて交互の順番で設けられる第１の熱交換器プレートおよび第２の熱交換器プレートを備える。
【００１８】
本発明のさらなる実施形態によれば、第２のプレート間隔の各々は、第２の熱交換器プレートのうちの１つと第１の熱交換器プレートのうちの１つとの間に設けられ、第３のプレート間隔の各々は、第２の熱交換器プレートのうちの１つと第１の熱交換器プレートのうちの１つとの間に設けられる。
【００１９】
本発明のさらなる実施形態によれば、第３のプレート間隔に隣接する、第１の熱交換器プレートの第２の入口ポートおよび第２の出口ポートのポート孔の内側平坦領域は、下平面に位置付けられる。
【００２０】
本発明のさらなる実施形態によれば、第３のプレート間隔に隣接する、第２の熱交換器プレートの第２の入口ポートおよび第２の出口ポートのポート孔の内側平坦領域は、上平面に位置付けられる。
【００２１】
本発明のさらなる実施形態によれば、第２のプレート間隔に隣接する、第１の熱交換器プレートの第３の入口ポートおよび第３の出口ポートのポート孔の内側平坦領域は、上平面に位置付けられる。
【００２２】
本発明のさらなる実施形態によれば、第２のプレート間隔に隣接する、第２の熱交換器プレートの第３の入口ポートおよび第３の出口ポートのポート孔の内側平坦領域は、下平面に位置付けられる。
【００２３】
本発明のさらなる実施形態によれば、第１のプレート間隔の各々は、第１の熱交換器プレートのうちの１つと第２の熱交換器プレートのうちの１つとの間に設けられる。
【００２４】
本発明のさらなる実施形態によれば、第１の熱交換器プレートは、第１のプレート間隔のうちの最も外側のものに隣接する第１のエンドプレートを備え、第２の熱交換器プレートは、第１のプレート間隔のうちの別の最も外側のものに隣接する第２のエンドプレートを備える。
【００２５】
本発明のさらなる実施形態によれば、第１のエンドプレートの第２の入口ポート、第２の出口ポート、第３の入口ポート、および第３の出口ポートのポート孔の内側平坦領域は、上平面に位置付けられる。したがって、第１のエンドプレートの内側平坦領域はプレート熱変換器のフレームプレートに隣接し得る。
【００２６】
本発明のさらなる実施形態によれば、第２のエンドプレートの第２の入口ポート、第２の出口ポート、第３の入口ポート、および第３の出口ポートのポート孔の内側平坦領域は、下平面に位置付けられる。したがって、第２のエンドプレートの内側平坦領域はプレート熱変換器の圧力プレートに隣接し得る。
【００２７】
ここでは、本発明は、様々な実施形態の記載を通じて、添付の図面を参照して、より綿密に説明される。
【図面の簡単な説明】
【００２８】
【図１】本発明の実施形態によるプレート熱変換器の前面図である。
【図２】図１におけるプレート熱変換器の側面図である。
【図３】図１における線ＩＩＩ−ＩＩＩに沿っての断面図である。
【図４】図１における線ＩＶ−ＩＶに沿っての断面図である。
【図５】図１におけるプレート熱変換器の第１の熱交換器プレートの図である。
【図６】図１におけるプレート熱変換器の第２の熱交換器プレートの図である。
【発明を実施するための形態】
【００２９】
図１〜図４は、熱交換器プレートＡ、Ａ’、Ａ”、Ｂ、Ｂ’、Ｂ”のプレートパッケージを備えるプレート熱交換器を開示している。熱交換器プレートＡ、Ａ’、Ａ”、Ｂ、Ｂ’、Ｂ”は、一次媒体のための第１のプレート間隔１と、第１の二次媒体のための第２のプレート間隔２と、第２の二次媒体のための第３のプレート間隔３とを形成するために互いに積み重ねられる。
【００３０】
一次媒体は、例えば高温水または低温水といった、加熱または冷却の媒体である。第１の二次媒体は、蒸発または凝縮させられる第１の冷媒であり得る。第２の二次媒体は、蒸発または凝縮させられる第２の冷媒であり得る。
【００３１】
図３および図４おいて見られるように、プレート間隔１〜３は、次の順番で、すなわち、第１のプレート間隔１、第２のプレート間隔２、第１のプレート間隔１、第３のプレート間隔３、第１のプレート間隔１、第２のプレート間隔２、第１のプレート間隔１、第３のプレート間隔３、第１のプレート間隔１、第２のプレート間隔２、第１のプレート間隔１、第３のプレート間隔３、および第１のプレート間隔１で配置される。開示した実施形態では、プレート熱交換器は１３個のプレート間隔１〜３を備える。これは単なる例であり、プレート熱交換器がより少ない数またはより多くの数のプレート間隔１〜３を備え得ることは、留意されるべきである。
【００３２】
各々の熱交換器プレートＡ、Ａ’、Ａ”、Ｂ、Ｂ’、Ｂ”は、延在平面ｐと平行に延在し、図５および図６を見ると、波形５を伴う熱交換器領域４を備える。波形５は、図３および図４を見ると、上平面６と下平面７との間で延在する。上平面６および下平面７は、互いと平行であり、延在平面ｐと平行である。延在平面ｐは、上平面６と下平面７との間の中間において延在する中央平面を形成する。
【００３３】
波形５は頂部と谷部とによって形成されている。開示されている実施形態では、頂部および谷部の波形５は、長手方向の中心軸ｘへと延在し、長手方向の中心軸ｘと傾斜の角度を形成する。波形５は、図５および図６において見られ得るように、矢印パターンを形成している。他の種類の波形５が可能である。
【００３４】
プレート熱交換器およびプレートパッケージは、熱交換器プレートＡ、Ａ’、Ａ”、Ｂ、Ｂ’、Ｂ”の一方の側におけるフレームプレート８と、熱交換器プレートＡ、Ａ’、Ａ”、Ｂ、Ｂ’、Ｂ”の他方の側における圧力プレート９とをも備える。図３および図４において見られるように、フレームプレート８および圧力プレート９は、熱交換器プレートＡ、Ａ’、Ａ”、Ｂ、Ｂ’、Ｂ”の延在平面ｐと平行に延在している。
【００３５】
プレート熱交換器およびプレートパッケージは、図１において見られるように、６つのポート１１、１２、２１、２２、３１、３２を備える。ポート１１、１２、２１、２２、３１、３２は、熱交換器プレートＡ、Ａ’、Ａ”、Ｂ、Ｂ’、Ｂ”とフレームプレート８とを貫いて延在している。
【００３６】
ポート１１、１２、２１、２２、３１、および３２は、第１の入口ポート１１、第１の出口ポート１２、第２の入口ポート２１、第２の出口ポート２２、第３の入口ポート３１、および第３の出口ポート３２を備える。
【００３７】
第１の入口ポート１１および第１の出口ポート１２は、第１のプレート間隔１と連通しており、第１のプレート間隔１に往来する一次媒体の供給および排出を許容する。第１の入口ポート１１および第１の出口ポート１２は、第２のプレート間隔２および第３のプレート間隔３に対して閉じられている。
【００３８】
第２の入口ポート２１および第２の出口ポート２２は、第２のプレート間隔２と連通しており、第２のプレート間隔２に往来する第１の二次媒体の供給および排出を許容する。第２の入口ポート２１および第２の出口ポート２２は、第１のプレート間隔１および第３のプレート間隔３に対して閉じられている。
【００３９】
第３の入口ポート３１および第３の出口ポート３２は、第３のプレート間隔３と連通しており、第３のプレート間隔３に往来する第２の二次媒体の供給および排出を許容する。第３の入口ポート３１および第３の出口ポート３２は、第１のプレート間隔１および第２のプレート間隔２に対して閉じられている。
【００４０】
開示した実施形態では、第２の入口ポート２１および第２の出口ポート２２は図１において左に位置付けられ、第３の入口ポート３１および第３の出口ポート３２は図１において右に位置付けられている。しかしながら、第１の二次媒体および第２の二次媒体の流れが代替で対角に延びてもよく、そのため、図１において、第２の入口２１および第３の出口３２が左に位置付けられ、第２の出口２２および第３の入口３１が右に位置付けられる。
【００４１】
ポート１１、１２、２１、２２、３１、３２の各々は、図５および図６を見ると、熱交換器プレートＡ、Ａ’、Ａ”、Ｂ、Ｂ’、Ｂ”の各々を貫くポート孔１４によって形成されている。各々のポート孔１４は外側平坦領域１５によって取り囲まれている。外側平坦領域１５は、ポート孔１４のポート孔縁１６を形成または定義する。外側平坦領域１５は環状であり、延在平面ｐと平行に延在する。
【００４２】
第２の入口ポート２１、第２の出口ポート２２、第３の入口ポート３１、および第３の出口ポート３２のポート孔１４の外側平坦領域１５は、図５および図６を見ると、内側平坦領域１７によって包囲されている。内側平坦領域１７は環状であり、延在平面ｐと平行に延在する。
【００４３】
第１の入口ポート１１および第１の出口ポート１２のポート孔１４の外側平坦領域１５は、図５および図６を見ると、熱交換器領域４の波形５に隣接している。したがって、第１の入口ポート１１および第１の出口ポート１２のポート孔１４の外側平坦領域１５の周りの環状の内側平坦領域がない。
【００４４】
熱交換器プレートＡ、Ａ’、Ａ”、Ｂ、Ｂ’、Ｂ”の各々は、熱交換器領域４の周りで延在する縁フランジ１８を備える。縁フランジ１８は、延在平面ｐに対して傾斜の角度を形成している。
【００４５】
熱交換器プレートＡ、Ａ’、Ａ”、Ｂ、Ｂ’、Ｂ”は、図５に見られる第１の熱交換器プレートＡ、Ａ’、Ａ”と、図６に見られる第２の熱交換器プレートＢ、Ｂ’、Ｂ”とを備える。第１の熱交換器プレートＡ、Ａ’、Ａ”および第２の熱交換器プレートＢ、Ｂ’、Ｂ”は、プレートパッケージにおいて交互の順番で設けられる。
【００４６】
頂部および谷部の波形５は、図５および図６において見られるように、第１の熱交換器プレートＡ、Ａ’、Ａ”における第１の方向に沿って、および、第１の方向と反対である第２の熱交換器プレートＢ、Ｂ’、Ｂ”における第２の方向に沿って、矢印を形成している。
【００４７】
プレートパッケージでは、第１の熱交換器プレートＡ、Ａ’、Ａ”および第２の熱交換器プレートＢ、Ｂ’、Ｂ”の縁フランジ１８は同じ方向に延在している。可及的には、第１の熱交換器プレートＡ、Ａ’、Ａ”の縁フランジ１８は上平面６から延在でき、第２の熱交換器プレートＢ、Ｂ’、Ｂ”の縁フランジ１８は下平面７から延在できる。
【００４８】
第１のプレート間隔１の各々は、フレームプレート８から見て、またはポート１１、１２、２１、２２、３１、３２の開放端から見て、第１の熱交換器プレートＡ、Ａ’、Ａ”のうちの１つと第２の熱交換器プレートＢ、Ｂ’、Ｂ”のうちの１つとの間に設けられる。第２のプレート間隔２の各々は、フレームプレート８から見て、またはポート１１、１２、２１、２２、３１、３２の開放端から見て、第２の熱交換器プレートＢ、Ｂ’、Ｂ”のうちの１つと第１の熱交換器プレートＡ、Ａ’、Ａ”のうちの１つとの間に設けられる。第３のプレート間隔３の各々は、フレームプレート８から見て、またはポート１１、１２、２１、２２、３１、３２の開放端から見て、第２の熱交換器プレートＢ、Ｂ’、Ｂ”のうちの１つと第１の熱交換器プレートＡ、Ａ’、Ａ”のうちの１つとの間に設けられる。
【００４９】
第２の入口ポート２１のポート孔１４の各々は、プレートパッケージのすべての熱交換器プレートＡ、Ａ’、Ａ”、Ｂ、Ｂ’、Ｂ”について等しい直径ｄを有する。第３の入口ポート３１のポート孔１４の各々は、プレートパッケージのすべての熱交換器プレートＡ、Ａ’、Ａ”、Ｂ、Ｂ’、Ｂ”について等しい直径ｄを有する。第２の入口ポート２１のポート孔１４の直径は、第３の入口ポート３１のポート孔１４の直径と等しくてもよい。
【００５０】
第２の出口ポート２２のポート孔１４の各々は、プレートパッケージのすべての熱交換器プレートＡ、Ａ’、Ａ”、Ｂ、Ｂ’、Ｂ”について等しい直径ｄを有する。第３の出口ポート３２のポート孔１４の各々は、プレートパッケージのすべての熱交換器プレートＡ、Ａ’、Ａ”、Ｂ、Ｂ’、Ｂ”について等しい直径ｄを有する。第２の出口ポート２２のポート孔１４の直径は、第３の出口ポート３２のポート孔１４の直径ｄと等しくてもよい。
【００５１】
熱交換器プレートＡ、Ａ’、Ａ”、Ｂ、Ｂ’、Ｂ”のポート１１、１２、２１、２２、３１、３２のポート孔の外側平坦領域１５は、上平面６および下平面７の一方に位置付けられ、その一方と平行である。
【００５２】
より具体的には、第１の熱交換器プレートＡ、Ａ’、Ａ”の第２の入口ポート２１、第２の出口ポート２２、第３の入口ポート３１、および第３の出口ポート３２のポート孔１４の外側平坦領域１５は、下平面７に位置付けられる。第１の熱交換器プレートＡ、Ａ’、Ａ”の第１の入口ポート１１および第１の出口ポート１２のポート孔１４の外側平坦領域１５は、上平面６に位置付けられる。
【００５３】
対応する形態で、第２の熱交換器プレートＢ、Ｂ’、Ｂ”の第２の入口ポート２１、第２の出口ポート２２、第３の入口ポート３１、および第３の出口ポート３２のポート孔１４の外側平坦領域１５は、上平面６に位置付けられる。第２の熱交換器プレートＢ、Ｂ’、Ｂ”の第１の入口ポート１１および第１の出口ポート１２のポート孔１４の外側平坦領域１５は、下平面７に位置付けられる。
【００５４】
それぞれの第２のプレート間隔２を包囲する、熱交換器プレートＢ、Ａの第２の入口ポート２１および第２の出口ポート２２のポート孔１４の内側平坦領域１７は、互いからある距離に位置付けられ、実施形態では、下平面７と上平面６との間で開示されている。
【００５５】
それぞれの第３のプレート間隔３を包囲する、熱交換器プレートＢ’、Ａ’の第３の入口ポート３１および第３の出口ポート３２のポート孔１４の内側平坦領域１７は、互いからある距離に位置付けられ、実施形態では、下平面７と上平面６との間で開示されている。
【００５６】
それぞれの第３のプレート間隔３に隣接する、第１の熱交換器プレートＡ’の第２の入口ポート２１および第２の出口ポート２２のポート孔１４の内側平坦領域１７は、上平面６に位置付けられる。
【００５７】
それぞれの第３のプレート間隔３に隣接する、第２の熱交換器プレートＢ’の第２の入口ポート２１および第２の出口ポート２２のポート孔１４の内側平坦領域１７は、下平面７に位置付けられる。
【００５８】
対応する形態で、それぞれの第２のプレート間隔２に隣接する、第１の熱交換器プレートＡの第３の入口ポート３１および第３の出口ポート３２のポート孔１４の内側平坦領域１７は、上平面６に位置付けられる。
【００５９】
それぞれの第２のプレート間隔２に隣接する、第２の熱交換器プレートＢの第３の入口ポート３１および第３の出口ポート３２のポート孔１４の内側平坦領域１７は、下平面７に位置付けられる。
【００６０】
第１の熱交換器プレートＡ、Ａ’、Ａ”は、第１のプレート間隔１のうちの最も外側のものとフレームプレート８とに隣接する第１のエンドプレートＡ”を備える。第２の熱交換器プレートＢ、Ｂ’、Ｂ”は、第１のプレート間隔１のうちの最も外側のものと圧力プレート９とに隣接する第２のエンドプレートＢ”を備える。第１のエンドプレートＡ”は、第２の入口ポートおよび第２の出口ポートのポート孔１４の内側平坦領域１７が上平面６に位置付けられている点において、第１の熱交換器プレートＡ、Ａ’に関して変更されている。第２のエンドプレートＢ”は、第３の入口ポート３１および第２の入口ポート３２のポート孔１４の内側平坦領域１７が下平面７に位置付けられている点において、第２の熱交換器プレートＢ、Ｂ’に関して変更されている。
【００６１】
代替の実施形態によれば、第１の入口ポート１１および第１の出口ポート１２のポート孔１４の外側平坦領域１５は、第２の入口ポート２１、第２の出口ポート２２、第３の入口ポート３１、および第３の出口ポート３２のポート孔１４と同じ方法で、内側平坦領域１７によって取り囲まれ得る。そのため、第１の入口ポート１１および第１の出口ポート１２のポート孔１４の内側平坦領域１７は、第１の入口ポート１１および第１の出口ポート１２と第１のプレート間隔１との間での第１の媒体についての連通を許容するために、上平面６と下平面７との間に位置付けられる。
【００６２】
本発明は、先に開示された実施形態に限定されないが、添付の特許請求の範囲内で変化および変更させられ得る。
【符号の説明】
【００６３】
１  第１のプレート間隔
２  第２のプレート間隔
３  第３のプレート間隔
４  熱交換器領域
５  波形
６  上平面
７  下平面
８  フレームプレート
９  圧力プレート
１１  第１の入口ポート
１２  第１の出口ポート
１４  ポート孔
１５  外側平坦領域
１６  ポート孔縁
１７  内側平坦領域
１８  縁フランジ
２１  第２の入口ポート
２２  第２の出口ポート
３１  第３の入口ポート
３２  第３の出口ポート
Ａ、Ａ’  第１の熱交換器プレート
Ａ”  第１の熱交換器プレート、第１のエンドプレート
Ｂ、Ｂ’  第２の熱交換器プレート
Ｂ”  第２の熱交換器プレート、第２のエンドプレート
ｄ  直径
ｐ  延在平面
ｘ  中心軸
【図１】
0006917459.tif 000002
【図２】
0006917459.tif 000003
【図３】
0006917459.tif 000004
【図４】
0006917459.tif 000005
【図５】
0006917459.tif 000006
【図６】
0006917459.tif 000007